(57)【要約】【課題】光源光の利用効率を低下させずに照明光の照射領域をほぼ多角形にすることができる、均等な配光特性を持たせた照明器具を得る。【解決手段】照明器具１００は、光を出射する光源１１０と、光源１１０から出射された光を通すレンズ１２０とを備え、照明器具１００が四角形でかつほぼ均等な配光特性を有するようにレンズ１２０が構成されている。照明器具１００は、光源１１０を冷却するための空冷手段１３０をさらに備えている。【選択図】図１
2015082470.tif 000002
【特許請求の範囲】
【請求項１】
光を出射する光源と、
該光源から出射された光を通すレンズと
を備えた照明器具であって、
該照明器具が三つ以上の角を有するほぼ多角形でかつほぼ均等な配光特性を有するように該レンズが構成されている、照明器具。
【請求項２】
前記レンズは、該レンズの頂点からほぼ等角に分岐する複数の稜線を有する、請求項１に記載の照明器具。
【請求項３】
前記多角形は、四角形である、請求項１に記載の照明器具。
【請求項４】
前記照明器具は、前記光源を冷却するための空冷手段をさらに備えた、請求項１に記載の照明器具。
【請求項５】
前記空冷手段は、
前記光源を冷却するヒートシンクと、
該光源の周囲に配置され、該光源に発熱により生じた空気流が噴出する複数の空気流通孔と
を備え、
該ヒートシンクは複数の冷却フィンを有し、
該複数の空気流通孔の各々は、該空気流通孔から噴出する空気流が該冷却フィンに当たるように、該冷却フィンの一端に対向させて配置されている、請求項１に記載の照明器具。
【発明の詳細な説明】
【技術分野】
【０００１】
本発明は、照明器具に関し、特に、三つ以上の角を有するほぼ多角形でかつほぼ均等な配光特性を有する照明器具に関するものである。
【背景技術】
【０００２】
従来から照明器具には種々のものがあり、それぞれ用途にあった配光特性を有している。
【０００３】
たとえば、街路の形状によって照射エリアを変えることのできる街路灯（特許文献１など）や、店舗、美術館、博物館などで用いられ、被照明物の大きさに応じてスポット照明するスポットライト（特許文献２など）がある。
【０００４】
また、ダウンライトは、例えば、下面が開口したドーム状ケース内に光源を収容した構造となっており、さらに照明角を制御する集光レンズを備えているものもある。これらの照明器具は、一般に照射水平面の照射形状（照明光の光軸と垂直な被照明面での光照射領域の形状）が円形となる配光特性（円形の配光特性）を有している。
【０００５】
図１０は、集光レンズを備えた一般的なダウンライトを説明する模式図であり、ダウンライトの構造（図１０（ａ））およびダウンライトにより照明を行っている状態（図１０（ｂ））を示している。
【０００６】
ダウンライト１０は、ケース１０ａと、ケース１０ａ内に配置された光源１１と、光源１１からの光を集光して出射するレンズ１２とを有している。
【０００７】
このようなダウンライト１０からの出射光Ｌが被照明面Ｒに照射されると、このダウンライト１０が円形の配光特性を有することから、光照射領域Ｓ０は円形になる。
【０００８】
このようなダウンライト１０は局所的な照明を行うものであるが、部屋の天井に行列状に並べて取り付けることにより部屋全体の照明に用いることができる。
【先行技術文献】
【特許文献】
【０００９】
【特許文献１】特開２０１２−１８６０１９号公報
【特許文献２】特開２００９−１２９７９５号公報
【発明の概要】
【発明が解決しようとする課題】
【００１０】
ところが、一般にダウンライト１０などは、円形の配光特性を有するので、図１１（ａ）に示すように、これを部屋全体の照明を行うために部屋の天井に行列状に並べて取り付けた場合、部屋の床面Ｆには、隣接するダウンライトの光照射領域Ｓ０の間に照明光が当たりにくい隙間領域Ｄが生じてしまう。また、このような光の当たりにくい隙間領域Ｄができないようにするには、ダウンライトの配列間隔を狭くする必要があるが、この場合は、隣接する光照射領域Ｓ０が重なることとなり、照度に濃淡が出来て均等な配光になり得ず、かつダウンライトの利用効率も悪い。
【００１１】
また、図１１（ｂ）に示すように、ダウンライト１０のケース１０ａの光出射面側に四角形の光出射窓１０ｂを形成することにより、ダウンライト１０に四角形の配光特性を持たせることはできるが、この場合は、光出射窓１０ｂの周辺部分ではレンズ１２を通過した光源光が遮られるため、光源光を効率よく取り出すことができない。
【００１２】
本発明は、上記のような問題点を解決するためになされたものであり、光源光の利用効率を低下させずにほぼ多角形でかつ均等な配光特性を持たせた照明器具を得ることを目的とする。
【課題を解決するための手段】
【００１３】
本発明に係る照明器具は、光を出射する光源と、該光源から出射された光を通すレンズとを備えた照明器具であって、該照明器具が三つ以上の角を有するほぼ多角形でかつほぼ均等な配光特性を有するように該レンズが構成されており、そのことにより上記目的が達成される。
【００１４】
本発明は、上記照明器具において、前記レンズは、該レンズの頂点からほぼ等角に分岐する複数の稜線を有することが好ましい。
【００１５】
本発明は、上記照明器具において、前記多角形は、四角形であることが好ましい。
【００１６】
本発明は、上記照明器具において、前記照明器具は、前記光源を冷却するための空冷手段をさらに備えることが好ましい。
【００１７】
本発明は、上記照明器具において、前記空冷手段は、前記光源を冷却するヒートシンクと、該光源の周囲に配置され、該光源に発熱により生じた空気流が噴出する複数の空気流通孔とを備え、該ヒートシンクは複数の冷却フィンを有し、該複数の空気流通孔の各々は、該空気流通孔から噴出する空気流が該冷却フィンに当たるように、該冷却フィンの一端に対向させて配置されていることが好ましい。
【発明の効果】
【００１８】
以上のように、本発明によれば、光源光の利用効率を低下させずにほぼ多角形でかつ均等な配光特性を持たせた照明器具を実現することができる。
【図面の簡単な説明】
【００１９】
【図１】図１は、本発明の実施形態１による照明器具を説明する模式図であり、図１（ａ）および図１（ｂ）は照明器具の構造および照明器具により照明を行っている状態を示している。
【図２】図２は、本発明の実施形態１による照明器具を説明する模式図であり、図２（ａ）は照明器具を光出射面側から見た構造を示す図、図２（ｂ）は光源の構造を示す図、図２（ｃ）、図２（ｄ）、図２（ｅ）はそれぞれ、この照明器具で用いるレンズの斜視図、平面図、および側面図である。
【図３】図３は、本発明の実施形態１による照明器具を説明する断面図であり、この照明器具の具体的な構造を示している。
【図４】図４は、本発明の実施形態１による照明器具を説明する平面図であり、この照明器具をその光出射面とは反対側から見た具体的な構造を示している。
【図５】図５は、本発明の実施形態１による照明器具を説明する図であり、この照明器具の配光特性をグラフで示している。
【図６】図６は、本発明の実施形態１による照明器具を説明する図であり、図５に示すグラフと照明器具の光照射領域の形状との関係を示している。
【図７】図７は、本発明の実施形態１による照明器具を説明する図であり、この照明器具を複数用いて部屋全体の照明を行った場合に個々の照明器具による光照射領域が隙間なく配置される様子を示している。
【図８】図８は、本発明の実施形態２による照明器具を説明する模式図であり、照明器具を光出射面側から見た構造（図８（ａ））および照明器具により照明を行っている状態（図８（ｂ））を示している。
【図９】図９は、本発明の実施形態３による照明器具を説明する模式図であり、照明器具を光出射面側から見た構造（図９（ａ））および照明器具により照明を行っている状態（図９（ｂ））を示している。
【図１０】図１０は、集光レンズを備えた一般的なダウンライトを説明する模式図であり、ダウンライトの構造（図１０（ａ））およびダウンライトにより照明を行っている状態（図１０（ｂ））を示している。
【図１１】図１１は、従来のダウンライトを部屋全体の照明に用いた場合を説明する模式図である。
【発明を実施するための形態】
【００２０】
以下、本発明の実施形態について図面を参照しながら説明する。
【００２１】
（実施形態１）
図１は、本発明の実施形態１による照明器具を説明する模式図であり、図１（ａ）および図１（ｂ）はそれぞれ、照明器具の構造および照明器具により照明を行っている状態を示している。
【００２２】
この実施形態１による照明器具１００は、光を出射する光源１１０と、光源１１０から出射された光を通すレンズ１２０と、光源１１０を空冷する空冷手段１３０とを備えている。光源１１０およびレンズ１２０は、照明器具１００のケース１０１内に設けられており、空冷手段１３０は、ケース１０１の内側および外側に跨って設けられている。
【００２３】
図２は、光源１１０およびレンズ１２０の構造を説明する図であり、図２（ａ）は、照明器具１００を光出射面側から見た構造を示し、図２（ｂ）は、光源１１０の構造を示し、図２（ｃ）〜図２（ｅ）はそれぞれ、レンズ１２０の斜視図、平面図、および側面図である。
【００２４】
ここで、光源１１０は、複数の発光ダイオード（ＬＥＤ）Ｅｄを基板１１１に実装したものであり、複数の発光ダイオードＥｄは、例えば行列状に配列されている。この光源１１０は、照明器具１００の空冷手段１３０を構成するヒートシンク１３１（図３参照）に取り付けられている。また、この光源１１０の光出射面上には、少し隙間を空けて発光ダイオードＥｄを覆うようにレンズ１２０が配置されている。レンズ１２０はケース１０１の構成部材がレンズ押さえ部材１２１に当接することにより固定されている。
【００２５】
このレンズ１２０は、レンズの頂点Ｖｔからほぼ等角に分岐する４つの稜線Ｌｒ１〜Ｌｒ４（図２（ａ）では稜線Ｌｒと略記）を有するように構成されている。つまり、レンズ１２０の光出射面は、稜線Ｌｒ１〜Ｌｒ４により区分された４つの曲面Ｃｓ１〜Ｃｓ４（図２（ａ）では曲面Ｃｓと略記）から構成されている。これにより照明器具１００にほぼ四角形（例えば正方形）でほぼ均等な配光特性を持たせている。また、レンズ１２０の構成材料としては、機械的強度が高く、しかも加工しやすい材料、例えばアクリル樹脂が用いられている。
【００２６】
図３は、本実施形態１の照明器具の具体的な構造を説明する断面図であり、図４は、本実施形態１の照明器具をその光出射面とは反対側から見た構造を示している。
【００２７】
この照明器具１００を構成する空冷手段１３０は、光源１１０の上側に配置され、光源１１０を冷却するヒートシンク１３１と、光源１１０の周囲に配置され、光源の発熱により生じた空気流がレンズ側からヒートシンク側へ噴出する複数の空気流通孔１３２とを備えている。ヒートシンク１３１は複数の冷却フィン１３１ａを有し、複数の空気流通孔１３２の各々は、空気流通孔１３２から噴出する空気流が冷却フィン１３１ａに当たるように、冷却フィン１３１ａの一端に対向させて配置されている。また、光源１１０の光出射側には反射板１２２が配置され、反射板１２２はヒートシンク１３１にビスなどにより固定されている。この反射板１２２の反射面はコーン形状（円錐台形状）を有する。さらに、反射板１２２の光出射側端の周囲は環状枠１５０に嵌合するようになっている。環状枠１５０は、反射板１２２を支持する枠本体１５０ａと、枠本体１５０ａの下端から外側に延在する環状フランジ１５０ｂとを有する。ここで、環状枠１５０と反射板１２２とは光源１００のケース１０１を形成しており、また、環状枠１５０以外の反射板１２２、ヒートシンク１３１、光源１１０およびレンズ１２０などは、照明器具本体（灯具）を構成している。また、枠本体１５０ａの一部には、照明器具１００を天井などの建築物の構造体Ｌｆに固定するための取付バネ１５１が上下にスライド可能かつ所定位置で留められるように取り付けられている。
【００２８】
例えば、建築物の天井などの構造体Ｌｆには器具取付孔Ｌｆａが形成されており、ダウンライトなどの照明器具１００はこの器具取付孔Ｌｆａに取付られる。作業順に説明すると、まず、構造体（例えば天井）Ｌｆの器具取付孔Ｌｆａに環状枠１５０を取付バネ１５１で固定する。具体的には、環状枠１５０を器具取付孔Ｌｆａに挿入した状態で、取付バネ１５１と環状枠１５０の環状フランジ１５０ｂとが天井Ｌｆを挟むように取付バネ１５１を枠本体１５０ａに沿って押し下げて留めることにより、環状枠１５０が天井Ｌｆに固定される。次に、環状枠１５０の下から、ヒートシンク１３１および反射板１２２などの照明器具本体を環状枠１５０に挿入すると、照明器具本体が支持バネ（図示せず）により環状枠１５０に支持される。これにより照明器具１００が構造体Ｌｆに取り付けられる。
【００２９】
以下、この実施形態１の照明器具１００の配光特性について説明する。
【００３０】
図５および図６は、この照明器具１００の配光特性を説明する図である。図５は、この照明器具の配光特性を、光度分布を示すグラフＧ１およびＧ２で示し、図６は、図５に示す光度分布と照明器具の光照射領域Ｓの形状との関係を示している。
【００３１】
図５に示す光度分布図では、グラフＧ１は、この照明器具の光照射領域Ｓの対辺方向における光度分布を示し、グラフＧ２は、この照明器具の光照射領域Ｓの対角方向における光度分布を示している。
【００３２】
説明を補足すると、グラフＧ１は、照明器具１００の光軸（照射軸）を縦方向にとり、この光軸を含む、光照射領域の対辺方向に平行な平面Ｐ１内で、この照射軸（０°）から一定角度（例えば５°）毎の光度を照射軸の両側で９０°まで測定し、照射軸を縦軸とする２次元座標上で、測定で得られた光度（測定データＤａｔａ−１）と測定角度とを光度ベクトルで表し、この光度ベクトルの先端をつないだものである。図５、図６に示す光度ベクトルＶ１は、平面Ｐ１内で測定角度が３０°である場合の光度ベクトルである。
【００３３】
また、グラフＧ２は、照明器具１００の光軸（照射軸）を縦方向にとり、この光軸を含む、光照射領域の対角方向に平行な平面Ｐ２内で、この照射軸（０°）から一定角度（例えば５°）毎の光度を照射軸の両側で９０°まで測定し、上述した２次元座標上で、測定で得られた光度（測定データＤａｔａ−２）と測定角度とを光度ベクトルで表し、この光度ベクトルの先端をつないだものである。図５、図６に示す光度ベクトルＶ２は、平面Ｐ２内で測定角度が３０°である場合の光度ベクトルである。
【００３４】
なお、光度ベクトルＶ１、Ｖ２の長さ、つまり２次元座標の原点Ｏから光度ベクトルＶ１、Ｖ２の先端までの距離は、それぞれの測定角度での光度（単位立体角に含まれる光束の大きさ）を示し、光度ベクトルの方向は、照射軸からの測定角度だけ隔てた方向を示している。
【００３５】
図５に示す光度分布図は、図６に示すように、グラフＧ２が示す光度分布の広がりとグラフＧ１が示す光度分布の広がりとを光照射領域Ｓに対応付けると明確になるように、照明器具１００からの出射光Ｌの光軸Ｌａｘを含む、正方形の光照射領域Ｓの対角線に平行な面Ｐ２内での光度分布が、光軸Ｌａｘを含む、正方形の光照射領域Ｓの辺に平行な面Ｐ１内での光度分布より広いということを示している。従って、このグラフＧ１およびＧ２は、本実施形態１の照明器具１００がほぼ四角形、例えば正方形の配光特性を有することを裏付けている。
【００３６】
次に、動作について説明する。
【００３７】
このような構成の照明器具１００では、外部の電源から電源ケーブル１５２により電源電圧が供給されると、基板１１１上に配置されている各発光ダイオードＥｄが駆動し、それぞれの発光ダイオードが発光する。
【００３８】
この発光ダイオードで発生した光は、発光ダイオードＥｄを覆うように配置されているレンズ１２０を通ってこのレンズ１２０の光出射面から被照明面Ｒに出射される。
【００３９】
このように発光ダイオードで発生した光がレンズ１２０を通過するとき、このレンズ１２０は照明器具１００がほぼ四角形でほぼ均等な配光特性を有するように構成されていることから、レンズ１２０からの出射光Ｌは、出射光Ｌの光軸Ｌａｘを含む所定の平面Ｐ１内で、図５のグラフＧ１が示す光強度分布を持ち、かつ、出射光Ｌの光軸Ｌａｘを含む、平面Ｐ１と所定の角度（例えば４５度の角度）をなす平面Ｐ２内で、図５のグラフＧ２が示す光強度分布を持つ。
【００４０】
これにより、レンズ１２０からの出射光Ｌにより照明された光照射領域Ｓが四角形となる。
【００４１】
また、発光ダイオードＥｄで発生した熱は基板１１１を介してヒートシンク１３１に伝わり、放熱フィン１３１ａから放出される。レンズ１２０の光出射面側の空気は、発光ダイオードＥｄでの発熱により加熱されることで空気流を発生させる。この空気流は基板１１１の周囲に配置された複数の空気流通孔１３２を通って基板１１１の下側からヒートシンク側に移動し、放熱フィン１３１ａに向けて噴出して放熱フィン１３１を冷却する。これにより光源１１０の空冷が行われる。
【００４２】
このように本実施形態１では、光を出射する光源１１０と、光源１１０から出射された光を通すレンズ１２０とを備えた照明器具１００において、照明器具１００が四角形でかつほぼ均等な配光特性を有するようにレンズ１２０を構成しているので、光源光の利用効率を低下させずに照明光の照射領域をほぼ四角形にすることができる。
【００４３】
このため、図７に示すように、この照明器具１００を複数用いて部屋全体の照明を行った場合には、行列状に配列した複数の照明器具１００による光照射領域Ｓにより、部屋の床面Ｆを隙間なく、しかも隣接する光照射領域Ｓが重ならないように照らすことができる。
【００４４】
また、本実施形態１では、照明器具１００は、光源１１０を冷却するための空冷手段１３０をさらに備えているので、光源１１０の過熱を回避できる。しかも、空冷手段１３０では、光源の加熱により生じた空気流がヒートシンク１３１の冷却フィン１３１ａに当たるように空気流通孔１３２を配置しているので、ファンなどの動力を用いずに光源の発熱より生ずる空気流により光源の冷却を効果的に行うことができる。単位時間当たりの空気流量は一定ゆえに、光源１１０の下側のケース１０１の内径に比較して圧倒的に小さい径の空気流通孔１３２を流れる空気流速は極めて高速であり、冷却効果は甚大である。
【００４５】
なお、本実施形態１では、レンズ１２０の構成は、レンズの頂点からほぼ等角に分岐する４つの稜線を有する構成としているが、レンズ１２０の構成は、実施形態１のものに限らず、レンズは、照明器具１００が、三つ以上の角を有するほぼ多角形でかつほぼ均等な配光特性を有するように構成されたものであればよい。
【００４６】
以下、本発明の実施形態２および３として、照明器具が四角形以外のほぼ多角形でかつほぼ均等な配光特性を有する照明器具の例について説明する。
【００４７】
（実施形態２）
図８は、本発明の実施形態２による照明器具を説明する模式図であり、照明器具を光出射面側から見た構造（図８（ａ））、および照明器具により照明を行っている状態（図８（ｂ））を示している。
【００４８】
この実施形態２による照明器具１００ａは、実施形態１の照明器具１００と同様に、光を出射する光源１１０と、光源１１０から出射された光を通すレンズ１２０ａとを備えている。
【００４９】
この実施形態２の照明器具１００ａでは、レンズ１２０ａは、実施形態１のものとは異なり、レンズの頂点Ｖｔからほぼ等角に分岐する６つの稜線Ｌｒ１〜Ｌｒ６を有するように構成されており、これにより照明器具１００ａにほぼ六角形でほぼ均等な配光特性を持たせている。また、レンズ１２０ａの光出射面は、稜線Ｌｒ１〜Ｌｒ６により区分された６つの曲面Ｃｓ１〜Ｃｓ６から構成されている。
【００５０】
なお、この実施形態２の照明器具のその他の構成は、実施形態１のものと同一である。
【００５１】
このような構成の実施形態２による照明器具１００ａでは、電源の投入により発光ダイオードＥｄで発生した光Ｌａがレンズ１２０ａを通ってその光出射面から被照明面Ｒに出射する。
【００５２】
このように発光ダイオードＥｄで発生した光がレンズ１２０ａを通過するとき、このレンズ１２０ａが、光出射面に六つの稜線Ｌｒ１〜Ｌｒ６を形成することにより照明器具１００がほぼ六角形でほぼ均等な配光特性を有するように構成したものであることから、レンズ１２０ａからの出射光Ｌａでは、稜線に沿った方向の光の分布が、この稜線に沿った方向以外の方向の光の分布より広くなる。このため、レンズ１２０ａからの出射光Ｌにより照明された光照射領域Ｓａは六角形となる。
【００５３】
このように本実施形態２の照明器具１００ａでは、実施形態１の照明器具１００と同様にして、光源光の利用効率を低下させずに照明光の照射領域をほぼ六角形にすることができる。
【００５４】
また、この照明器具１００ａも、光源１１０を空冷するための空冷手段を備えているので、実施形態１の照明器具１００と同様に光源１１０を、ファンなどを用いずに効率よく空冷することができる。
【００５５】
（実施形態３）
図９は、本発明の実施形態３による照明器具を説明する模式図であり、照明器具を光出射面側から見た構造（図９（ａ））、および照明器具により照明を行っている状態（図９（ｂ））を示している。
【００５６】
この実施形態３による照明器具１００ｂも、実施形態１の照明器具１００と同様に、光を出射する光源１１０と、光源１１０から出射された光を通すレンズ１２０ｂとを備えている。
【００５７】
この実施形態３の照明器具１００ｂでは、このレンズ１２０ｂは、実施形態１あるいは実施形態２のものとは異なり、レンズの頂点Ｖｔからほぼ等角に分岐する３つの稜線Ｌｒ１〜Ｌｒ３を有するように構成されており、これにより照明器具１００ｂにほぼ三角形でほぼ均等な配光特性を持たせている。また、レンズ１２０ｂの光出射面は、稜線Ｌｒ１〜Ｌｒ３により区分された３つの曲面Ｃｓ１〜Ｃｓ３から構成されている。
【００５８】
なお、この実施形態３の照明器具のその他の構成は、実施形態１のものと同一である。
【００５９】
このような構成の実施形態３による照明器具１００ｂでは、電源の投入により発光ダイオードＥｄが駆動すると、それぞれの発光ダイオードで発生した光がレンズ１２０ｂを通ってその光出射面から被照明面Ｒに出射する。
【００６０】
このように発光ダイオードで発生した光がレンズ１２０ｂを通過するとき、レンズ１２０ｂはその光出射面に三つの稜線Ｌｒ１〜Ｌｒ３が形成されることにより照明器具１００ｂがほぼ三角形でほぼ均等な配光特性を有するように構成したものであることから、レンズ１２０ｂからの出射光Ｌｂでは、稜線に沿った方向での光度分布が稜線に沿った方向以外の方向での光度分布より広くなる。このため、レンズ１２０ｂからの出射光Ｌｂが照明された光照射領域Ｓｂはほぼ三角形となる。
【００６１】
このように本実施形態３の照明器具１００ｂでは、実施形態１の照明器具１００と同様にして、光源光の利用効率を低下させずに照明光の照射領域をほぼ三角形にすることができる。
【００６２】
また、この照明器具１００ｂにおいても、光源１１０を冷却するための空冷手段を備えているので、光源１１０をファンなどを用いずに効率よく空冷することができる。
【００６３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６４】
本発明は、照明器具の分野において、光源光の利用効率を低下させずにほぼ多角形でかつ均等な配光特性を持たせた照明器具を実現することができる。
【符号の説明】
【００６５】
１００、１００ａ、１００ｂ  照明器具
１０１  ケース
１１０  光源
１１１  基板
１２０、１２０ａ、１２０ｂ  レンズ
１２１  レンズ押さえ部材
１２２  反射板
１３０  空冷手段
１３１  ヒートシンク  
１３１ａ  冷却フィン
１３２  空気流通孔
１５０  環状枠材
１５０ａ  枠本体
１５０ｂ  フランジ
１５１  取付バネ
１５２  電源ケーブル
Ｃｓ、Ｃｓ１〜Ｃｓ６  曲面
Ｅｄ  発光ダイオード
Ｌ、Ｌａ、Ｌｂ  出射光
Ｌａｘ  光軸
Ｌｒ、Ｌｒ１〜Ｌｒ６  稜線
Ｐ１、Ｐ２  面
Ｒ  被照明面
Ｓ、Ｓａ、Ｓｂ  光照射領域
Ｖｔ  頂点
【図１】
2015082470.tif 000003
【図２】
2015082470.tif 000004
【図３】
2015082470.tif 000005
【図４】
2015082470.tif 000006
【図６】
2015082470.tif 000007
【図７】
2015082470.tif 000008
【図８】
2015082470.tif 000009
【図９】
2015082470.tif 000010
【図１０】
2015082470.tif 000011
【図１１】
2015082470.tif 000012
【図５】
2015082470.tif 000013